(57)【特許請求の範囲】
【請求項１】
発光部と、
前記発光部が発する光が被検査体の被検出部位にて反射された、生体情報を有する光を受ける受光部と、
前記発光部が発する光又は前記生体情報を有する光を反射させる反射部と、
第１の面及び前記第１の面と対向する第２の面を有し、前記第１の面又は前記第２の面の何れか一方に前記受光部が配置され、且つ前記第１の面又は前記第２の面の何れか他方に前記発光部が配置される基板と、
を有し、
前記基板は、前記発光部が発する光の波長に対して透明な材料で構成され、
前記基板の前記第１の面及び前記第２の面の少なくとも一方は、前記発光部及び前記受光部の少なくとも一方への配線を含む遮光領域と、平面視において、前記基板上の前記遮光領域を除く領域に少なくとも配置された、前記発光部が発する光の波長に対して透明な光透過膜と、を有することを特徴とする生体情報検出器。
【請求項２】
請求項１において、
前記配線は、前記第１の面又は前記第２の面の前記何れか一方に、前記受光部への接続パッドを有し、
平面視において、前記基板は、前記第１の面又は前記第２の面の前記何れか一方に、前記接続パッドと隣接し、且つ前記光透過膜が配置されていない開口部を有し、
平面視において、前記開口部は、前記基板の前記第１の面又は前記第２の面の前記何れか他方の側の前記遮光領域と重なることを特徴とする生体情報検出器。
【請求項３】
請求項１において、
前記配線は、前記第１の面又は前記第２の面の前記何れか他方に、前記発光部への接続パッドを有し、
平面視において、前記基板は、前記第１の面又は前記第２の面の前記何れか他方に、前記接続パッドと隣接し、且つ前記光透過膜が配置されていない開口部を有し、
平面視において、前記開口部は、前記基板の前記第１の面又は前記第２の面の前記何れか一方の側の前記遮光領域と重なることを特徴とする生体情報検出器。
【請求項４】
請求項２において、
平面視において前記開口部と重なる、前記基板の前記第１の面又は前記第２の面の前記何れか他方の側の前記遮光領域に、疑似配線が配置されることを特徴とする生体情報検出器。
【請求項５】
請求項３において、
前記配線は、前記受光部の電極と接する接続部を有し、
平面視において前記開口部と重なる、前記基板の前記第１の面又は前記第２の面の前記何れか一方の側の前記遮光領域に、前記接続部が配置されることを特徴とする生体情報検出器。
【請求項６】
請求項２乃至５の何れかにおいて、
前記接続パッドは、前記接続パッドの表面の一部を露出する露出部を有し、
平面視において、前記開口部は、前記露出部と隣接し、
前記接続パッドの表面の他の一部は、前記光透過膜に覆われることを特徴とする生体情報検出器。
【請求項７】
請求項１において、
前記配線は、前記発光部及び前記受光部の少なくとも一方への接続パッドを有し、
前記接続パッドは、前記接続パッドの表面の一部を露出する露出部を有し、
前記接続パッドの表面の周囲は、前記光透過膜に覆われることを特徴とする生体情報検出器。
【請求項８】
請求項１乃至７の何れかに記載の生体情報検出器と、
前記受光部において生成される受光信号から前記生体情報を測定する生体情報測定部と、を含み、
前記生体情報は、脈拍数であることを特徴とする生体情報測定装置。
【発明の詳細な説明】
【技術分野】
【０００１】
本発明は、生体情報検出器及び生体情報測定装置等に関する。
【背景技術】
【０００２】
生体情報測定装置は、例えば人間の脈拍数、血液中の酸素飽和度、体温、心拍数等の生体情報を測定し、生体情報測定装置の一例は、脈拍数を測定する脈拍計である。また、脈拍計等の生体情報測定装置は、時計、携帯電話、ページャー、パーソナルコンピューター等の電子機器に組み込まれてもよく、又は電子機器と組み合わせてもよい。生体情報測定装置は、生体情報を検出する生体情報検出器を有し、生体情報検出器は、被検査体（ユーザー）の被検出部位に向けて光を発光する発光部と、被検出部位からの生体情報を有する光を受光する受光部とを含む。
【０００３】
特許文献１は、脈拍計（広義には、生体情報測定装置）を開示し、脈拍計の受光部（例えば、特許文献１の図１６の受光部１２）は、被検出部位での反射光（例えば、特許文献１の図１６の点線）を拡散反射面（例えば、特許文献１の図１６の反射部１３１）を介して受光する。特許文献１の光プローブ１は、平面視において発光部１１と受光部１２とが重なり、光プローブ１の小型化を図る。
【先行技術文献】
【特許文献】
【０００４】
【特許文献１】特開２００４−３３７６０５号公報
【発明の概要】
【発明が解決しようとする課題】
【０００５】
特許文献１の段落［００４８］によれば、基板１５は、反射部１３１の内部の側を拡散反射面として形成されている。言い換えれば、特許文献１の基板１５は、発光部１１の発する光を遮光し、基板１５全体が遮光領域を形成してしまう。従って、生体情報検出器の検出精度がよくない。
【０００６】
本発明の幾つかの態様によれば、検出精度又は測定精度を向上可能な生体情報検出器及び生体情報測定装置を提供できる。
【課題を解決するための手段】
【０００７】
本発明の一態様は、発光部と、
前記発光部が発する光が被検査体の被検出部位にて反射された、生体情報を有する光を受ける受光部と、
前記発光部が発する光又は前記生体情報を有する光を反射させる反射部と、
第１の面及び前記第１の面と対向する第２の面を有し、前記第１の面又は前記第２の面の何れか一方に前記受光部が配置され、且つ前記第１の面又は前記第２の面の何れか他方に前記発光部が配置される基板と、
を有し、
前記基板は、前記発光部が発する光の波長に対して透明な材料で構成され、
前記基板の前記第１の面及び前記第２の面の少なくとも一方は、前記発光部及び前記受光部の少なくとも一方への配線を含む遮光領域と、平面視において、前記基板上の前記遮光領域を除く領域に少なくとも配置された、前記発光部が発する光の波長に対して透明な光透過膜と、を有することを特徴とする生体情報検出器に関係する。
【０００８】
本発明の一態様によれば、発光部からの光が被検出部位にて反射されることで、生体情報を含む光となり、これが受光部で検出されることで、生体情報を検出する。発光部からの光を反射部にて反射させて被検出部位に向けても良いし、あるいは、被検出部位からの生体情報を含む光を反射部にて反射させて受光部にて検出してもよい。いずれの場合でも、発光部が発する光又は生体情報を有する光は、透明な材料で構成される基板のうち、発光部及び受光部への少なくとも一方への配線を含む遮光領域を除く領域を透過することができる。従って、受光部又は被検出部位に到達する光量が増加し、生体情報検出器の検出精度は向上する。また、平面視で遮光領域を除く領域では少なくとも、基板が光透過膜で覆われることにより、基板の少なくとも一面の粗面を光透過膜で埋め込んで平坦化し、その粗面での光の拡散を減少させることができる。言い換えれば、光透過膜は基板の少なくとも一面を平坦化させて直進する光の透過率を向上させることができる。特に、配線等の剥離を防止するために基板面が意図的に粗面に形成されている場合に有効である。従って、受光部又は被検出部位に到達する光量が増加し、生体情報検出器の検出精度はさらに向上する。なお、光透過膜は、平面視におい基板上の遮光領域を除く領域に少なくとも配置さればよく、平面視で遮光領域と重なる領域に形成しても良い。
【０００９】
また、本発明の一態様では、前記配線は、前記第１の面又は前記第２の面の前記何れか一方に、前記受光部への接続パッドを有してもよく、
平面視において、前記基板は、前記第１の面又は前記第２の面の前記何れか一方に、前記接続パッドと隣接し、且つ前記光透過膜が配置されていない開口部を有してもよく、
平面視において、前記開口部は、前記基板の前記第１の面又は前記第２の面の前記何れか他方の側の前記遮光領域と重なってもよい。
【００１０】
このように、受光部への接続パッドの周辺の基板は、光透過膜の代わりに開口部を有してもよい。受光部への接続パッドは、ワイヤボンディング等が可能なように露出させる必要があり、全てを光透過膜で覆うことはできない。接続パッドや光透過膜の少なくとも一方は、フォトリソグラフィ工程等の製造時の誤差で位置ずれを生じる結果として、開口部が形成され得ることを許容するものである。但し、基板が例えば第１の面に開口部を有する場合、開口部に対向する第２の面に、基板の遮光領域が存在する。平面視で遮光領域と重なる領域では、たとえ開口部が形成されても、開口部を光が通過することは無い。これとは異なり、平面視において開口部が遮光領域と重なっていない場合、発光部が発する光又は生体情報を有する光は、基板の開口部で拡散してしまう。
【００１１】
また、本発明の一態様では、前記配線は、前記第１の面又は前記第２の面の前記何れか他方に、前記発光部への接続パッドを有してもよく、
平面視において、前記基板は、前記第１の面又は前記第２の面の前記何れか他方に、前記接続パッドと隣接し、且つ前記光透過膜が配置されていない開口部を有し、
平面視において、前記開口部は、前記基板の前記第１の面又は前記第２の面の前記何れか一方の側の前記遮光領域と重なってもよい。
【００１２】
このように、発光部への接続パッドの周辺の基板は、光透過膜の代わりに開口部を有してもよい。発光部への接続パッドは、ワイヤボンディング等が可能なように露出させる必要があり、全てを光透過膜で覆うことはできない。接続パッドや光透過膜の少なくとも一方は、フォトリソグラフィ工程等の製造時の誤差で位置ずれを生じる結果として、開口部が形成され得ることを許容するものである。但しこの場合も、基板が例えば第２の面に開口部を有する場合、開口部に対応する第１の面に、基板の遮光領域が存在する。
【００１３】
また、本発明の一態様では、生体情報検出器は、
平面視において前記開口部と重なる、前記基板の前記第１の面又は前記第２の面の前記何れか他方の側の前記遮光領域に、疑似配線が配置されてもよい。
【００１４】
基板が例えば第１の面に開口部を有する場合、開口部に対向する第２の面に、疑似配線が存在してもよい。このように、疑似配線で容易に遮光領域を形成することができる。
【００１５】
また、本発明の一態様では、前記配線は、前記受光部の電極と接する接続部を有してもよく、
平面視において前記開口部と重なる、前記基板の前記第１の面又は前記第２の面の前記何れか一方の側の前記遮光領域に、前記接続部が配置されてもよい。
【００１６】
基板が例えば第２の面に開口部を有する場合、開口部に対応する第１の面に、受光部の電極と接する接続部（配線）が存在してもよい。接続部（配線）を拡張することで、容易に遮光領域を形成することができる。
【００１７】
また、本発明の一態様では、前記接続パッドは、前記接続パッドの表面の一部を露出する露出部を有してもよく、
平面視において、前記開口部は、前記露出部と隣接してもよく、
前記接続パッドの表面の他の一部は、前記光透過膜に覆われてもよい。
【００１８】
このように、接続パッドの表面の他の一部に重ねて光透過膜を設けることで、この領域で隙間（開口部）をなくす一方で、接続部の表面の一部であって光透過膜で覆うことができない露出部と光透過膜との間には、光透過膜等の製造誤差を考慮して開口部が形成されてもよい。この開口部も、平面視で遮光領域と重なっていれば良い。
【００１９】
前記配線は、前記発光部及び前記受光部の少なくとも一方への接続パッドを有してもよく、
前記接続パッドは、前記接続パッドの表面の一部を露出する露出部を有してもよく、
前記接続パッドの表面の周囲は、前記光透過膜に覆われてもよい。
【００２０】
このように、発光部または受光部への接続パッドは、ワイヤボンディング等が可能なように露出させる必要があり、全てを光透過膜で覆うことはできない。接続パッドや光透過膜の少なくとも一方は、フォトリソグラフィ工程等の製造時の誤差で位置ずれを生じるが、その最大位置ずれが生じたとしても、接続パッドの露出部の周囲が光透過膜に覆われるようにして、無用な領域に開口部が形成されることをなくしてもよい。
【００２１】
また、本発明の他の態様は、上記に記載の生体情報検出器と、
前記受光部において生成される受光信号から前記生体情報を測定する生体情報測定部と、を含み、
前記生体情報は、脈拍数であることを特徴とする生体情報測定装置に関係する。
【００２２】
本発明の他の態様によれば、検出精度が向上された生体情報検出器を用いて、生体情報測定装置の測定精度を向上させることができる。
【図面の簡単な説明】
【００２３】
【図１】図１（Ａ）、図１（Ｂ）は、本実施形態の生体情報検出器の構成例。
【図２】図２（Ａ）、図２（Ｂ）、図２（Ｃ）は、発光部が発する光又は生体情報を有する光が基板に向かう照射領域の説明図。
【図３】図３（Ａ）、図３（Ｂ）は、光透過膜及び配線の配置例。
【図４】図４（Ａ）、図４（Ｂ）、図４（Ｃ）、図４（Ｄ）は、開口部が形成される理由と開口部の形成を阻止する原理とを示す説明図。
【図５】図５（Ａ）、図５（Ｂ）は、光透過膜の配置例。
【図６】図６（Ａ）、図６（Ｂ）は、接続パッドの周辺の配置例。
【図７】光透過膜及び配線の他の配置例。
【図８】図８（Ａ）、図８（Ｂ）は、接続パッドの周辺の他の配置例。
【図９】発光部が発する光の強度特性の一例。
【図１０】光透過膜がコーティングされた基板を通る光の透過特性の一例。
【図１１】本実施形態の生体情報検出器の他の構成例。
【図１２】接続パッドの周辺の他の配置例。
【図１３】図１３（Ａ）、図１３（Ｂ）は、生体情報検出器を含む生体情報測定装置の外観例。
【図１４】生体情報測定装置の構成例。
【発明を実施するための形態】
【００２４】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００２５】
１．  生体情報検出器
図１（Ａ）、図１（Ｂ）は、本実施形態の生体情報検出器の構成例を示す。図１（Ａ）、図１（Ｂ）に示されるように、生体情報検出器は、基板１１、発光部１４、受光部１６及び反射部１８を含む。また、図１（Ａ）、図１（Ｂ）に示されていないが、後述するように、生体情報検出器は、配線及び光透過膜を含む。さらに、図１（Ａ）、図１（Ｂ）に示されるように、生体情報検出器は、保護部１９を含むことができる。
【００２６】
図１（Ａ）、図１（Ｂ）に示されるように、発光部１４は、被検査体（例えば、ユーザ）の被検出部位Ｏに向かう光Ｒ１を発する。受光部１６は、発光部１４が発する光Ｒ１が被検出部位Ｏにて反射された、生体情報を有する光Ｒ１’（反射光）を受ける。反射部１８は、発光部１４が発する光Ｒ１又は生体情報を有する光Ｒ１’（反射光）を反射させる。反射部１８は、発光部１４と受光部１６との間の光路に設けたドーム面（球面又は放物面）に反射面を有することができる。基板１１は、第１の面（例えば、表面）１１Ａ及び第１の面１１Ａと対向する第２の面（例えば、裏面）１１Ｂを有し、第１の面１１Ａ又は第２の面１１Ｂの何れか一方（図１（Ａ）では第１の面１１Ａ、図１（Ｂ）では第２の面１１Ｂ）に受光部１６が配置され、且つ第１の面１１Ａ又は第２の面１１Ｂの何れか他方（図１（Ａ）では第２の面１１Ｂ、図１（Ｂ）では第１の面１１Ａ）に発光部１４が配置される。基板１１は、発光部１４が発する光Ｒ１の波長に対して透明な材料で構成されている。後述するように、基板１１には、発光部１４及び受光部１６の少なくとも一方への配線及び発光部１４が発する光Ｒ１を透過させる光透過膜を形成することができる。また、平面視において、少なくとも配線が配置されている基板１１の遮光領域を除く基板１１の領域に、光透過膜が配置されている。
【００２７】
発光部１４が発する光Ｒ１又は生体情報を有する光Ｒ１’（反射光）は、透明な材料で構成される基板１１を透過することができる。従って、受光部１６又は被検出部位Ｏに到達する光量が増加し、生体情報検出器の検出精度は向上する。また、基板１１が光透過膜で覆われることにより、基板１１の少なくとも一面の粗面を光透過膜で埋め込んで平坦化し、その粗面での光の拡散を減少させることができる。言い換えれば、光透過膜は基板１１の少なくとも一面を平坦化させて直進する光の透過率を向上させることができる。従って、受光部１６又は被検出部位Ｏに到達する光量が増加し、生体情報検出器の検出精度はさらに向上する。
【００２８】
なお、特許文献１の段落［００４８］によれば、基板１５は、反射部１３１の内部の側を拡散反射面として形成されている。言い換えれば、特許文献１の基板１５は、透明な材料で構成する必要がなく、特許文献１の基板１５は、発光部１１の発する光を遮光し、その結果、基板１５全体が遮光領域を形成してしまう。従って、特許文献１の生体情報検出器の検出精度がよくない。
【００２９】
図２（Ａ）、図２（Ｂ）、図２（Ｃ）は、発光部１４が発する光Ｒ１又は生体情報を有する光Ｒ１’（反射光）が基板１１に向かう照射領域の説明図を示す。照射領域は、例えば、反射部１８の反射面（図１（Ａ）、図１（Ｂ）の例では、ドーム面）と基板１１との境界１８−１で規定することができる。境界１８−１の外形は、例えば円形を示す。
【００３０】
図２（Ａ）に示されるように、例えば、図１（Ａ）の受光部１６の側から見た平面視において、受光部１６のアノード（広義には、電極）と接続するための配線６１は、基板１１の第１の面１１Ａに形成される。また、受光部１６のカソード（広義には、電極）と接続するための配線６２も、基板１１の第１の面１１Ａに形成される。図２（Ａ）の例では、配線６１は、受光部１６への接続パッド６１’とボンディングワイヤ６１−１とを有し、配線６１の接続パッド６１’は、ボンディングワイヤ６１−１を介して受光部１６のアノードと接続される。図２（Ａ）の例では、配線６２は、受光部１６のカソードと接する接続部６２’を有し、配線６２の接続部６２’は、例えば接着剤（図示せず）を介して受光部１６のカソードと直接に接続される。導電性の接着剤として、例えば銀ペーストを採用することができる。なお、図１（Ｂ）の例では、配線６１，６２等は基板１１の第２の面１１Ｂに形成される。
【００３１】
図２（Ｂ）に示されるように、例えば、図１（Ａ）の発光部１４の側から見た平面視において、発光部１４のカソードと接続するための配線６３は、基板１１の第２の面１１Ｂに形成される。また、発光部１４のアノードと接続するための配線６４も、基板１１の第２の面１１Ｂに形成される。図２（Ｂ）の例では、配線６３は、発光部１４への接続パッド６３’とボンディングワイヤ６３−１とを有し、配線６３の接続パッド６３’は、ボンディングワイヤ６３−１を介して発光部１４のカソードと接続される。図２（Ｂ）の例では、配線６４は、発光部１４への接続パッド６４’とボンディングワイヤ６４−１とを有し、配線６４の接続パッド６４’は、ボンディングワイヤ６４−１を介して発光部１４のアノードと接続される。なお、図１（Ｂ）の例では、配線６３，６４等は基板１１の第１の面１１Ａに形成される。
【００３２】
なお、発光部１４への配線６３及び配線６４並びに受光部１６への配線６１及び配線６２の構成例は、図２（Ａ）、図２（Ｂ）によって限定されない。例えば、配線６１の接続パッド６１’の形状は、図２（Ａ）で示される円形の代わりに、例えば矩形、楕円、多角形等の他の形状でもよい。また、例えば配線６３の接続パッド６３’の形状も、図２（Ｂ）で示される矩形の代わりに、例えば円形、楕円、多角形等の他の形状でもよい。さらに、図２（Ａ）の例では、受光部１６は、底面にカソードを有するが、アノードのように、表面にカソードを有してもよい。
【００３３】
例えば図１（Ａ）に示すように、生体情報を有する光Ｒ１’（反射光）が基板１１に向かう場合、生体情報を有する光Ｒ１’（反射光）は、反射部１８の反射面と基板１１との境界１８−１で規定される照射領域に到達する。図２（Ｂ）で示すように、発光部１４への配線６３及び配線６４が存在する場合、少なくとも配線６３及び配線６４は、生体情報を有する光Ｒ１’（反射光）を遮断または反射し、遮光領域を形成する。言い換えれば、照射領域のうちの遮光領域は、生体情報を有する光Ｒ１’（反射光）が基板１１に進入することを抑制する。また、生体情報を有する光Ｒ１’（反射光）が基板１１の内部に進入する場合であっても、図２（Ａ）で示すように、受光部１６への配線６１及び配線６２が存在する場合、少なくとも配線６１及び配線６２は、生体情報を有する光Ｒ１’（反射光）が基板１１の内部から外部に出ることを抑制する。このように、配線６１、配線６２、配線６３及び配線６４が配置される基板１１の遮光領域は、生体情報を有する光Ｒ１’（反射光）が反射部１８に到達することを抑制する。言い換えれば、生体情報を有する光Ｒ１’（反射光）は、基板１１の遮光領域を除く基板１１の領域を透過することができる。
【００３４】
例えば図１（Ｂ）に示すように、発光部１４が発する光Ｒ１が基板１１に向かう場合、発光部１４が発する光Ｒ１は、基板１１の照射領域に到達する。図２（Ａ）で示すように、受光部１６への配線６１及び配線６２が存在する場合、少なくとも配線６１及び配線６２は、発光部１４が発する光Ｒ１を遮断または反射し、遮光領域を形成する。言い換えれば、照射領域のうちの遮光領域は、発光部１４が発する光Ｒ１が基板１１に進入することを抑制する。また、発光部１４が発する光Ｒ１が基板１１の内部に進入する場合であっても、図２（Ｂ）で示すように、発光部１４への配線６３及び配線６４が存在する場合、少なくとも配線６３及び配線６４は、少なくとも配線６３及び配線６４は、発光部１４が発する光Ｒ１が基板１１の内部から外部に出ることを抑制する。このように、配線６１、配線６２、配線６３及び配線６４が配置される基板１１の遮光領域は、発光部１４が発する光Ｒ１が被検出部位Ｏに到達することを抑制する。
【００３５】
図２（Ｃ）は、平面視で見た照射領域のうちの遮光領域を示し、図２（Ｃ）の例において、遮光領域は、黒で描かれている。図２（Ｃ）で示されるように、平面視において、遮光領域は、図２（Ａ）の配線６１（接続パッド６１’及びボンディングワイヤ６１−１を含む）及び配線６２（接続部６２’を含む）、並びに、図２（Ｂ）の配線６３（接続パッド６３’及びボンディングワイヤ６３−１を含む）及び配線６４（接続パッド６４’及びボンディングワイヤ６４−１を含む）で規定することができる。
【００３６】
平面視において、配線６１、配線６２、配線６３及び配線６４が配置されている基板１１の遮光領域を除く基板１１の領域に、光透過膜を配置することができる。光透過膜は、第１の面１１Ａだけに形成されてもよく、第２の面１１Ｂだけに形成されてもよく、第１の面１１Ａ及び第２の面１１Ｂの双方に形成されてもよい。例えば、図２（Ａ）の例において、光透過膜は、配線６１、接続パッド６１’、配線６２及び接続部６２’以外の照射領域内に、形成することができる。また、図２（Ｂ）の例において、光透過膜は、配線６３、接続パッド６３’、配線６４及び接続パッド６４’以外の照射領域内に、形成することができる。
【００３７】
基板１１上の配線６１、配線６２、配線６３及び配線６４が剥離しないように、基板１１の第１の面１１Ａ及び第２の面１１Ｂは、粗面となるように製造又は加工することができる。つまり、基板１１の第１及び第２の面１１Ａ，１１Ｂは、配線６１、配線６２、配線６３及び配線６４が形成される面を含んで、その全面が粗面に形成されることになる。この粗面は、配線６１等の剥離を低減させる面では好都合ではあるが、光の通過面としては拡散が生じ好ましくない。従って、第１の面１１Ａ及び第２の面１１Ｂの少なくとも一方に光透過膜を形成することにより、基板１１の少なくとも一面の粗面を光透過膜で埋め込んで、基板１１の遮光領域を除く光透過領域の平坦性は、向上する。言い換えれば、基板１１上の光透過膜１１−１は、平坦化膜であるので、光が基板１１を透過する時、基板１１の粗面での光の拡散を減少させることができる。言い換えれば、光透過膜の存在により、基板１１の少なくとも一面を平坦化させて直進する光の透過率が向上する。従って、受光部１６又は被検出部位Ｏに到達する光量が増加し、生体情報検出器の検出精度はさらに向上する。
【００３８】
また、図１（Ａ）、図１（Ｂ）に示されるように、生体情報検出器は、保護部１９をさらに含むことができる。保護部１９は、発光部１４又は受光部１６を保護する。図１（Ａ）の例において、保護部１９は、発光部１４を保護する。図１（Ｂ）の例において、保護部１９は、受光部１６を保護する。基板１１は、反射部１８と保護部１９との間に狭持され、発光部１４は、反射部１８又は保護部１９の何れか一方の側にて基板１１に配置され、受光部１６は、反射部１８又は保護部１９の何れか他方の側にて基板１１に配置される。図１（Ａ）の例において、受光部１６は、反射部１８の側に基板１１（狭義には、基板１１の第１の面１１Ａ）の上に置かれ、発光部１４は、保護部１９の側に基板１１（狭義には、基板１１の第２の面１１Ｂ）の上に置かれる。図１（Ｂ）の例において、発光部１４は、反射部１８の側に基板１１（第１の面）の上に置かれ、受光部１６は、保護部１９の側に基板１１（第２の面）の上に置かれる。保護部１９は、被検査体との接触面を有し、保護部１９は、発光部１４が発する光Ｒ１の波長に対して透明な材料（例えば、ガラス）で構成される。また、基板１１も、発光部１４が発する光Ｒ１の波長に対して透明な材料（例えば、ポリイミド）で構成される。
【００３９】
基板１１は、反射部１８と保護部１９との間に狭持されるので、発光部１４及び受光部１６が基板１１に配置されたとしても、基板１１それ自身を支持する機構を別途設ける必要がなく、部品点数が減少する。また、基板１１は、発光波長に対して透明な材料で構成されるので、発光部１４から受光部１６に至る光路途中に基板１１を配置でき、基板１１を光路以外の位置例えば反射部１８の内部に格納する必要がない。このように、容易に組み立て可能な生体情報検出器を提供することができる。また、反射部１８は、受光部１６又は被検出部位Ｏに到達する光量を増加させることが可能であり、生体情報検出器の検出精度（ＳＮ比）は向上する。
【００４０】
なお、特許文献１では、発光部１１、受光部１２、基板１５及び透明材料１４２を反射部１３１の内部に組み込む必要がある。従って、小型な光プローブ１の組み立ては、容易ではない。
【００４１】
図１（Ａ）、図１（Ｂ）の例において、被検出部位Ｏ（例えば、血管）は、被検査体の内部にある。第１の光Ｒ１は、被検査体の内部に進み、表皮、真皮及び皮下組織で拡散又は散乱する。その後、第１の光Ｒ１は、被検出部位Ｏに到達し、被検出部位Ｏで反射される。被検出部位Ｏでの反射光Ｒ１’は、皮下組織、真皮及び表皮で拡散又は散乱する。図１（Ａ）では、反射光Ｒ１’は、反射部１８に向かう。図１（Ｂ）では、第１の光Ｒ１は、反射部１８を介して被検出部位Ｏに向かう。なお、第１の光Ｒ１は、被検出部位Ｏ（血管）で部分的に吸収される。従って、脈拍の影響により、血管での吸収率が変化し、被検出部位Ｏでの反射光Ｒ１’の光量も変化する。このように、生体情報（例えば、脈拍数）は、被検出部位Ｏでの反射光Ｒ１’に反映される。
【００４２】
図１（Ａ）の例において、発光部１４は、被検出部位Ｏに第１の光Ｒ１を発し、反射部１８は、被検出部位Ｏにおける第１の光Ｒ１の反射光Ｒ１’を受光部１６に反射させ、受光部１６は、被検出部位Ｏにおける生体情報を有する反射光Ｒ１’を受け取る。図１（Ｂ）の例において、発光部１４は、被検出部位Ｏに第１の光Ｒ１を反射部１８を介して発し、受光部１６は、被検出部位Ｏにおける生体情報を有する第１の光Ｒ１の反射光Ｒ１’を受け取る。
【００４３】
基板１１の厚さは、例えば、１０［μｍ］〜１０００［μｍ］である。基板１１には、発光部１４への配線及び受光部１６への配線を形成することができる。基板１１は、例えばプリント基板であるが、一般には、プリント基板は、例えば特許文献１の基板１５のように、透明な材料で構成されていない。言い換えれば、本発明者らは、プリント基板を少なくとも発光部１４の発光波長に対して透明な材料で構成することをあえて採用した。保護部１９の厚さは、例えば、１［μｍ］〜１０００［μｍ］である。
【００４４】
生体情報検出器の構成例は、図１（Ａ）、図１（Ｂ）によって限定されず、構成例の一部（例えば受光部１６）の形状等は、変更してもよい。また、生体情報は、血液中の酸素飽和度、体温、心拍数等であってもよく、被検出部位Ｏが被検査体の表面ＳＡにあってもよい。図１（Ａ）、図１（Ｂ）の例において、第１の光Ｒ１が１つの線として描かれているが、実際には、発光部１４は、様々な方向に多くの光を発する。
【００４５】
発光部１４は、例えばＬＥＤであり、ＬＥＤが発する光の波長は、例えば４２５［ｎｍ］〜６２５［ｎｍ］の範囲に強度の最大値（広義には、ピーク値）を持ち、例えば緑色の光が発せられる。発光部１４の厚さは、例えば、２０［μｍ］〜１０００［μｍ］である。受光部１６は、例えばフォトダイオードであり、一般的にはＳｉフォトダイオードで構成できる。受光部１６の厚さは、例えば、２０［μｍ］〜１０００［μｍ］である。Ｓｉフォトダイオードが受ける光の波長は、例えば８００［ｎｍ］〜１０００［ｎｍ］の範囲に感度の最大値（広義には、ピーク値）を持つ。好ましくは、受光部１６は、ＧａＡｓＰフォトダイオードで構成され、ＧａＡｓＰフォトダイオードが受ける光の波長は、例えば５５０［ｎｍ］〜６５０［ｎｍ］の範囲に感度の最大値（広義には、ピーク値）を持つ。生体（水やヘモグロビン）は、７００［ｎｍ］〜１１００［ｎｍ］の範囲に含まれる赤外線を透過させ易いので、ＧａＡｓＰフォトダイオードで構成される受光部１６は、例えばＳｉフォトダイオードで構成される受光部１６と比較して、外光に起因するノイズ成分を減少させることができる。
【００４６】
図３（Ａ）、図３（Ｂ）は、光透過膜及び配線の配置例を示す。上述した構成例と同一の構成については同じ符号を付し、その説明を省略する。図３（Ａ）、図３（Ｂ）は、図１（Ａ）に対応するが、図１（Ｂ）の構成例も、光透過膜及び配線を配置することができる。以下、図１（Ａ）に対応する図３（Ａ）、図３（Ｂ）について説明する。光透過膜１１−１は、例えば、ソルダーレジスト（広義には、レジスト）で構成することができる。なお、光透過膜１１−１の屈折率は、空気の屈折率と基板１１の屈折率の間であることが好ましい。さらに、光透過膜１１−１の屈折率は、空気の屈折率よりも、基板１１の屈折率に近い方が好ましい。このような場合、基板１１と光透過膜１１−１での界面または光透過膜１１−１と空気との界面での光の反射を減少させることができる。
【００４７】
図３（Ａ）に示されるように、基板１１の第２の面１１Ｂの上には、発光部１４だけでなく、光透過膜１１−１及び接続パッド６４’も配置されている。図３（Ａ）に示されていないが、基板１１の第２の面の上には、配線６４、接続パッド６３’及び配線６３も配置されている（図２（Ｂ）参照）。光透過膜１１−１は、配線６３、接続パッド６３’、配線６４及び接続パッド６４’が配置されていない基板１１の第２の面１１Ｂの上に、配置することができる。
【００４８】
光透過膜１１−１は、基板１１の第１の面１１Ａの上にも配置することができ、光透過膜１１−１は、配線６１、接続パッド６１’、配線６２及び接続部６２’が配置されていない基板１１の第１の面１１Ａの上に、配置することができる（図２（Ａ）参照）。図３（Ａ）の例では、基板１１の第１の面１１Ａ上の光透過膜１１−１は、本来の位置から右側（図３（Ａ）、図３（Ｂ）において、接続パッド６１’を基準として、受光部１６を右方向とする。）に配置される一方、基板１１の第２の面１１Ｂ上の光透過膜１１−１は、本来の位置に配置される。図４（Ａ）のように、接続パッド６１’及び光透過膜１１−１が本来の位置に形成されると隙間は生じないが、図３（Ａ）では図４（Ｂ）の通り例えば光透過膜１１−１が位置ずれすることで、隙間δが生じてしまう。これは、光透過膜１１−１及び接続パッド６１’の少なくとも一方を例えばフォトリソグラフィを用いて形成する場合、光透過膜１１−１及び接続パッド６１’の少なくとも一方は、フォトマスクの位置ずれ等の製造誤差の影響により、本来の位置に配置されないことに起因して生ずる。このように、接続パッド６１’と光透過膜１１−１との間に図４（Ｂ）に示す隙間δが生ずると、図３（Ａ）の例では、生体情報を有する光Ｒ１’（反射光）が基板１１の内部から外部に出るとき、このような隙間δの存在により、生体情報を有する光Ｒ１’（反射光）は、基板１１の第１の面１１Ａの粗面で拡散してしまう。
【００４９】
図３（Ｂ）の例でも、基板１１の第１の面１１Ａ上の光透過膜１１−１は、本来の位置から右側に配置される一方、基板１１の第２の面１１Ｂ上の光透過膜１１−１は、本来の位置に配置される。但し、断面視において、図３（Ｂ）の接続パッド６１’の面積の大きさは、その後に形成される光透過膜１１−１の製造誤差を考慮して、図３（Ａ）の接続パッド６１’よりも大きい。言い換えれば、光透過膜１１−１の最大のずれ量に基づき、図３（Ｂ）の接続パッド６１’を大きくすることができる。図４（Ｃ）に示すように、図３（Ａ）の接続パッド６１’の本来の大きさをＷとし、光透過膜１１−１が一方向にずれる最大のずれ量をΔＷとする。光透過膜１１−１がずれる一方向とは、例えば露光時に基板１１が走査される二次元平面上での直交二軸Ｘ，Ｙの少なくとも一方である。接続パッド６１’の左側及び右側の双方に光透過膜１１−１が存在するので、図４（Ａ）に代わる図４（Ｃ）に示すように接続パッド６１’の大きさは、Ｗ＋２×ΔＷに設定することができる。接続パッド６１’及び光透過膜１１−１が本来の位置に形成される図４（Ｃ）の状態にて、両側の光透過膜１１−１は接続パッド６１’にΔＷ以上の長さで接続パッド６１’にオーバーラップするようにマスクを設計しておく。こうすると、図３（Ｂ）の例のように例えば光透過膜１１−１が右側に最大量ΔＷだけ位置ずれしても、図４（Ｄ）に示すように接続パッド６１’の両端は光透過膜１１−１がオーバーラップして、図４（Ｂ）の例に示す隙間δを抑制することができる。また、基板１１の第２の面１１Ｂ上の光透過膜１１−１が本来の位置に配置されない場合であっても、このような隙間を抑制することができる。なお、基板１１の第１，第２の面１１Ａ，１１Ｂ上の光透過膜１１−１及び接続パッド６１’，６４’の双方が一方向にずれる最大ずれ量をΔＷ／２と定義すれば、互いに逆方向に最大値ΔＷ／２ずつずれても（相対的にΔＷだけずれる）、図４（Ｃ）の通りマスクを設計しておけば、隙間δが生ずることを抑制できる。
【００５０】
図５（Ａ）、図５（Ｂ）は、光透過膜１１−１の配置例を示す。図５（Ａ）及び図５（Ｂ）の双方は、図２（Ａ）に対応する。また、図５（Ａ）の線分Ａ-Ａ’を用いた断面図は、図３（Ａ）に対応し、図５（Ｂ）の線分Ａ-Ａ’を用いた断面図は、図３（Ｂ）に対応する。図５（Ａ）、図５（Ｂ）において、基板１１の第１の面の上の光透過膜１１−１は、反射部１８の反射面と基板１１との境界１８−１に対応する領域だけが描かれており、図３（Ａ）、図３（Ｂ）のように、基板１１の第１の面１１Ａと反射部１８との間に、光透過膜１１−１を形成してもよい。図５（Ａ）、図５（Ｂ）において、基板１１の第１の面１１Ａの上の光透過膜１１−１は、本来の位置から上側（図５（Ａ）、図５（Ｂ）において、符号Ａを上方向とし、符号Ａ’を下方向とする。）に配置される。また、図５（Ａ）、４（Ｂ）に示されるように、基板１１の第１の面の上の光透過膜１１−１は、遮光領域である配線６１の表面及び配線６２の表面を覆うこともできる（図２（Ａ）参照）。なお、図５（Ａ）、図５（Ｂ）に示されるように、接続パッド６１’の表面にはボンディングワイヤ６１−１が形成されるので、光透過膜１１−１は、接続パッド６１’の表面のすべてを覆うことはできない（図２（Ａ）参照）。言い換えれば、接続パッド６１’は、接続パッド６１’の表面の少なくとも一部を露出する露出部６１Ａ’を有する（図５（Ａ）、図５（Ｂ）参照）。
【００５１】
図６（Ａ）、図６（Ｂ）は、接続パッドの周辺の配置例を示す。図６（Ａ）は、図３（Ｂ）の接続パッド６１’の周辺の配置例を示す。また、図６（Ａ）において、図５（Ｂ）の光透過膜１１−１の縁は、点線で表されている。図６（Ａ）に示されるように、受光部１６への接続パッド６１’は、接続パッド６１’の表面の少なくとも一部を露出する露出部６１Ａ’を有する。露出部６１Ａ’は、光透過膜１１−１の縁によって規定される。接続パッド６１’の露出部６１Ａ’には、ボンディングワイヤ６１−１が形成される。図６（Ａ）の例では、接続パッド６１’の表面の周囲は、接続パッド６１’にオーバーラップした光透過膜１１−１に覆われる。また、図６（Ａ）の例では、受光部１６への接続部６２’は、接続部６２’の表面の少なくとも一部を露出する露出部６２Ａ’を有し、接続部６２’の表面の周囲は、接続部６２’にオーバーラップした光透過膜１１−１に覆われる。
【００５２】
図６（Ｂ）は、図３（Ｂ）の接続パッド６４’の周辺の配置例を示す。図６（Ｂ）の例では、発光部１４への接続パッド６４’は、接続パッド６４’の表面の少なくとも一部を露出する露出部６４Ａ’を有し、接続パッド６４’の表面の周囲は、接続パッド６４’にオーバーラップした光透過膜１１−１に覆われる（図３（Ｂ）参照）。また、図６（Ｂ）の例では、発光部１４への接続パッド６３’は、接続パッド６４’と同様に、接続パッド６３’の表面の少なくとも一部を露出する露出部６３Ａ’を有し、接続パッド６３’の表面の周囲は、接続パッド６３’にオーバーラップした光透過膜１１−１に覆われる。接続パッド６４’の露出部６４Ａ’及び接続パッド６３’の露出部６３Ａ’には、それぞれ、ボンディングワイヤ６４−１及びボンディングワイヤ６３−１が形成される。
【００５３】
光透過膜１１−１等の製造誤差を考慮して、接続パッド６１’等は例えばワイヤボンディングに最小限必要な面積よりも大きく設定し、接続パッド６１’等の表面の周囲は、光透過膜１１−１に覆われるようにフォトマスク等を設計しておく。こうすると、たとえマスクずれ等の製造誤差が生じたとしても、接続パッド６１’等の接続パッドの表面の周囲と光透過膜１１−１との隙間をなくすことができる。接続パッド６１’等の接続パッドの表面の周囲と隣接する光透過膜１１−１は、光の拡散を抑制することができる。
【００５４】
図７は、光透過膜及び配線の他の配置例を示す。上述した構成例と同一の構成については同じ符号を付し、その説明を省略する。図３（Ｂ）の例では、断面視において、接続パッド６１’と接続部６２’との間に、基板１１の第１の面１１Ａ上の光透過膜１１−１が存在するが、図７の例では、接続パッド６１’と接続部６２’との間に隙間δ１が存在する。言い換えれば、図７の例では、接続パッド６１’と接続部６２’との間に、基板１１の第１の面１１Ａの側に開口部δ１が存在する。但し、図７の例では、開口部δ１に対向うする疑似配線６５が基板１１の第２の面１１Ｂ上に形成される。疑似配線６５は、本来の配線としては不要な領域に設けられているが、開口部δ１を遮光するために形成され、接続パッド６１’と同様に、遮光領域を形成する。擬似配線６５は、他の必要な配線とは非接続のフローティング配線とすることができるが、他の必要な配線に接続された冗長部分であっても良い。従って、疑似配線６５は、生体情報を有する光Ｒ１’（反射光）が基板１１に進入することを抑制する。疑似配線６５が存在しない場合、生体情報を有する光Ｒ１’（反射光）は、基板１１の第１の面１１Ａの粗面（開口部δ１）で拡散してしまう。図７の例では、接続パッド６１’の左側に光透過膜１１−１が存在するので、図４（Ｃ）の寸法に代えて、図７の接続パッド６１’の大きさは、片側のずれだけ考慮してＷ＋ΔＷに設定することができる。図７の例では、図３（Ｂ）の光透過膜１１−１（接続パッド６１’と接続部６２’との間の光透過膜１１−１）の代わりに開口部δ１を設けることで、開口部δ１と隣接する接続パッド６１’の大きさは、図４（Ｃ）の接続パッド６１’の大きさ（Ｗ＋２×ΔＷ）よりも、ΔＷだけ小さくすることができる。よって、接続パッド６１’を大きくできない制約がある場合に有利である。
【００５５】
疑似配線６５は、基板１１の第２の面の上に形成され、接続パッド６４’及び配線６４等も、基板１１の第２の面１１Ｂ上に形成される。従って、疑似配線６５、接続パッド６４’及び配線６４は、例えばフォトリソグラフィを用いて同時に形成することができ、例えば銅箔で構成される。このように、疑似配線６５を容易に形成することができる。
【００５６】
また、図７の例では、接続パッド６４’と発光部１４との間に、基板１１の第２の面１１Ｂの側に開口部δ２が存在する一方、開口部δ２に対応する接続部６２’が基板１１の第１の面１１Ａ上に形成される。但し、図７の接続部６２’は、図３（Ｂ）の接続部６２’と比べて、右側（図７において、接続パッド６１’を基準として、受光部１６を右方向とする。）に拡張されている。図７の例では、接続部６２’を大きくすることで、遮光領域を拡張し、拡張された遮光領域が、接続パッド６４’と発光部１４との間に存在する、基板１１の第２の面の側の開口部δ２に対向する。接続部６２’は、例えば銅箔で構成され、例えばフォトリソグラフィを用いて容易に形成することができる。
【００５７】
図８（Ａ）、図８（Ｂ）は、接続パッドの周辺の他の配置例を示す。図８（Ａ）は、図７の接続パッド６１’の周辺の配置例を示す。図８（Ｂ）は、図７の接続パッド６４’の周辺の配置例を示す。図８（Ａ）、図８（Ｂ）の線分Ａ-Ａ’を用いた断面図は、図７に対応する。また、上述した構成例と同一の構成については同じ符号を付し、その説明を省略する。
【００５８】
図８（Ａ）に示されるように、受光部１６への接続パッド６１’は、接続パッド６１’の表面の一部を露出する露出部６１Ａ’を有し、接続パッド６１’の表面の他の一部（周囲の一部）は、光透過膜１１−１に覆われる。図８（Ａ）の例では、接続パッド６１’の表面の周囲のすべてが光透過膜１１−１に覆われていないので、接続パッド６１’と接続部６２’（受光部１６）との間には、基板１１の第１の面１１Ａ上に開口部δ１が形成される（図７参照）。図８（Ａ）に示されるように、受光部１６側の平面視において、基板１１の第１の面１１Ａ上の開口部δ１は、接続パッド６１’の露出部６１Ａ’と隣接する。
【００５９】
図８（Ｂ）に示されるように、発光部１４への接続パッド６４’は、接続パッド６４’の表面の一部を露出する露出部６４Ａ’を有し、接続パッド６４’の表面の他の一部（周囲の一部）は、光透過膜１１−１に覆われる。図８（Ｂ）の例では、接続パッド６４’の表面の周囲のすべてが光透過膜１１−１に覆われていないので、接続パッド６４’と発光部１４との間には、基板１１の第２の面の上に開口部δ２が形成される（図７参照）。図８（Ｂ）に示されるように、発光部１４側の平面視において、基板１１の第２の面１１Ｂ上の開口部δ２は、接続パッド６４’の露出部６４Ａ’と隣接する。
【００６０】
図８（Ｂ）に示されるように、基板１１の第２の面１１Ｂ上に疑似配線６５が形成される。平面視において、疑似配線６５は、基板１１の第１の面１１Ａ上の開口部δ１と重なる（図７参照）。なお、疑似配線６５は、配線６３等の配線と接続されていないが、疑似配線６５の代わりに、例えば配線６３や接続パッド６３’等の配線を拡張してもよい。
【００６１】
図８（Ａ）に示されるように、基板１１の第１の面１１Ａ上の接続部６２’は、基板１１の第２の面１１Ｂ上の開口部δ２と重なるように、拡張されている（図７参照）。なお、接続部６２’の代わりに、基板１１の第１の面１１Ａ上に疑義配線が形成されてもよい。また、図８（Ｂ）に示すように、発光部１４への接続パッド６３’も同様に接続パッド６３’の表面の一部を露出する露出部６３Ａ’を有し、露出部６３Ａ’と隣接して開口部δ３が基板１１の第２の面１１Ｂ上に形成される。この開口部δ３も開口部δ２と同様にして、基板１１の第１の面１１Ａ上の配線又は擬似配線により遮光することができる。
【００６２】
図９は、発光部１４が発する光の強度特性の一例を示す。図９の例において、５２０［ｎｍ］の波長を持つ光の強度が、最大値を示し、その強度で他の波長を持つ光の強度は正規化されている。また、図９の例において、発光部１４が発する光の波長の範囲は、４７０［ｎｍ］〜６００［ｎｍ］である。
【００６３】
図１０は、光透過膜１１−１がコーティングされた基板１１を通る光の透過特性の一例を示す。図１０の例において、基板１１を透過する前の光の強度と基板１１を透過した後の光の強度とを用いて、透過率が計算されている。図１０の例において、生体の窓の下限である７００［ｎｍ］以下の波長領域において、５２５［ｎｍ］の波長を持つ光の透過率が、最大値を示す。或いは、図６の例において、生体の窓の下限である７００［ｎｍ］以下の波長領域において、光透過膜１１−１を通る光の透過率の最大値は、例えば図９の発光部１４が発する光の波長の強度の最大値の±１０％以内の範囲に入る。このように、光透過膜１１−１は、発光部１４が発する光（例えば、図１（Ａ）の第１の光Ｒ１の反射光Ｒ１’、図１（Ｂ）の第１の光Ｒ１）を選択的に透過させることが好ましい。光透過膜１１−１の存在により、基板１１の平坦性を向上するとともに、発光部１４又は受光部１６の効率の低下をある程度防止することができる。なお、図１０の例で示したように、例えば可視光領域において、５２５［ｎｍ］の波長を持つ光の透過率が最大値（広義には、ピーク値）を示す場合、光透過膜１１−１は、例えば緑色を示す。
【００６４】
図１１は、本実施形態の生体情報検出器の他の構成例を示す。図１０に示されるように、生体情報検出器は、図７の構成例と比べて、光を反射させる反射部９２を含むことができる。なお、図１１に示す上述した構成例と同一の構成については同じ符号を付し、その説明を省略する。図１１の例において、発光部１４は、被検査体（例えば、ユーザー）の被検出部位Ｏに向かう第１の光Ｒ１及び被検出部位Ｏとは異なる方向（反射部９２）に向かう第２の光Ｒ２を発する。反射部９２は、第２の光Ｒ２を反射させて被検出部位Ｏに導く。受光部１６は、第１の光Ｒ１及び第２の光Ｒ２が被検出部位Ｏにて反射された、生体情報を有する光Ｒ１’、Ｒ２’（反射光）を受ける。反射部１８は、被検出部位Ｏからの生体情報を有する光Ｒ１’、Ｒ２’（反射光）を反射させて受光部１６に導く。反射部９２の存在により、被検査体（ユーザー）の被検出部位Ｏに直接到達しない第２の光Ｒ２も、被検出部位Ｏに到達する。言い換えれば、反射部９２を介して被検出部位Ｏに到達する光量が増加し、発光部１４の効率が高まる。従って、生体情報検出器の検出精度（ＳＮ比）は向上する。
【００６５】
なお、特許文献１は、反射部１８に対応する構成（特許文献１の図１６の反射部１３１）を開示する。具体的には、特許文献１の図１６の受光部１２は、被検出部位での反射光を反射部１３１を介して受光する。しかしながら、特許文献１は、反射部９２に対応する構成を開示していない。言い換えれば、本出願時において、当業者は、特許文献１の図１６の発光部１１の効率を高めることを認識していない。
【００６６】
図１１の例では、疑似配線６５は、反射部９２と基板１１との間まで、拡張している。また、疑似配線６５は、例えば銀ペースト等の接着剤（図示せず）を介して反射部９２と直接に接続される。このように、疑似配線６５の存在により、反射部９２を容易に基板１１に取り付けることができる。
【００６７】
図１２は、接続パッドの周辺の他の配置例を示す。図１２は、図１１の接続パッド６４’の周辺の配置例を示す。図１２の線分Ａ-Ａ’を用いた断面図は、図１１に対応する。また、上述した構成例と同一の構成については同じ符号を付し、その説明を省略する。図１２に示されるように、反射部９２を基板１１に容易に取り付けるために、平面視において、疑似配線６５の面積は、反射部９２の面積よりも大きい。言い換えれば、平面視において、反射部９２のすべてが疑似配線６５と重なり、反射部９２は、疑似配線６５の内部に位置する。加えて、基板１１の第２の面１１Ｂに形成された擬似配線６５は、図８（Ａ）に示す開口部δ１と対向する領域まで延在されて、開口部δ１を遮光している。
【００６８】
図１２の例では、平面視において、反射部９２の外周は、円を表し、円の直径は、例えば、直径２００［μｍ］〜１１０００［μｍ］である。なお、反射部９２の外周は、平面視において、例えば四角形（狭義には、正方形）等の他の形状を表してもよい。また、図１２の例では、平面視において、発光部１４の外周は、四角形（狭義には、正方形）を表し、正方形の１辺は、例えば、１００［μｍ］〜１００００［μｍ］である。なお、発光部１４の外周は、例えば円形等の他の形状を表してもよい。
【００６９】
反射部９２は、それ自身を金属で形成し、その表面を鏡面加工することで、反射構造（狭義には、鏡面反射構造）を有する。なお、反射部９２は、例えば樹脂で形成し、その表面に鏡面加工してもよい。具体的には、例えば、反射部９２の下地金属を準備し、その後、その表面を例えばめっきする。或いは、例えば、熱可塑性樹脂を反射部９２の金型（図示せず）に充填して成形し、その後、その表面に例えば金属膜を蒸着する。反射部９２の鏡面部は、高い反射率を有することが好ましく、鏡面部の反射率は、例えば、８０％〜９０％以上である。なお、図１２の例でも、接続パッド６４’の露出部６４Ａ’と隣接して開口部δ２が形成され、接続パッド６３’の露出部６３Ａ’と隣接して開口部δ３が形成されている。これら開口部δ２，δ３は、図８（Ａ）に示すように、基板１１の第１の面１１Ａ上の接続部６２’の拡張領域により遮光することができる。
【００７０】
２．  生体情報測定装置
図１３（Ａ）、図１３（Ｂ）は、図１等の生体情報検出器を含む生体情報測定装置の外観例である。図１３（Ａ）に示されるように、例えば図１の生体情報検出器は、生体情報検出器を被検査体（ユーザー）の腕（狭義には、手首）に取り付け可能なリストバンド１５０をさらに含むことができる。図１３（Ａ）の例において、生体情報は、脈拍数であり、例えば「７２」が示されている。また、生体情報検出器は、腕時計に組み込まれ、時刻（例えば、午前８時１５分）が示されている。また、図１３（Ｂ）に示されるように、腕時計の裏蓋に開口部が設けられ、開口部に例えば図１の保護部１９が露出する。図１３（Ｂ）の例において、反射部１８及び受光部１６は、腕時計に組み込まれている。図１３（Ｂ）の例において、反射部９２、発光部１４、リストバンド１５０等は、省略されている。
【００７１】
図１４は、生体情報測定装置の構成例を示す。生体情報測定装置は、図１等の生体情報検出器と、生体情報検出器の受光部１６において生成される受光信号から生体情報を測定する生体情報測定部とを含む。図１４に示すように、生体情報検出器は、発光部１４と受光部１６と発光部１４の制御回路１６１とを有することができる。生体情報検出器は、受光部１６の受光信号の増幅回路１６２をさらに有することができる。また、生体情報測定部は、受光部１６の受光信号をＡ／Ｄ変換するＡ／Ｄ変換回路１６３と脈拍数を算出する脈拍数算出回路１６４とを有することができる。生体情報測定部は、脈拍数を表示する表示部１６５をさらに有することができる。
【００７２】
生体情報検出器は、加速度検出部１６６を有することができ、生体情報測定部は、加速度検出部１６６の受光信号をＡ／Ｄ変換するＡ／Ｄ変換回路１６７とデジタル信号を処理するデジタル信号処理回路１６８とをさらに有することができる。生体情報測定装置の構成例は、図１４によって限定されない。図１４の脈拍数算出回路１６４は、例えば生体情報検出器を組み込む電子機器のＭＰＵ（Ｍｉｃｒｏ  Ｐｒｏｃｅｓｓｉｎｇ  Ｕｎｉｔ）であってもよい。
【００７３】
図１４の制御回路１６１は、発光部１４を駆動する。制御回路１６１は、例えば、定電流回路であり、所与の電圧（例えば、６［Ｖ］）を保護抵抗を介して発光部１４に供給し、発光部１４に流れる電流を所与の値（例えば、２［ｍＡ］）に保つ。なお、制御回路１６１は、消費電流を低減するために、発光部１４を間欠的に（例えば、１２８［Ｈｚ］で）駆動することができる。
【００７４】
図１４の増幅回路１６２は、受光部１６において生成される受光信号（電流）から直流成分を除去し、交流成分だけを抽出し、その交流成分を増幅して、交流信号を生成することができる。増幅回路１６２は、例えばハイパスフィルターで所与の周波数以下の直流成分を除去し、例えばオペアンプで交流成分をバッファーする。なお、受光信号は、脈動成分及び体動成分を含む。増幅回路１６２又は制御回路１６１は、受光部１６を例えば逆バイアスで動作させるための電源電圧を受光部１６に供給することができる。発光部１４が間欠的に駆動される場合、受光部１６の電源も間欠的に供給され、また交流成分も間欠的に増幅される。なお、増幅回路１６２は、ハイパスフィルターの前段で受光信号を増幅する増幅器を有してもよい。
【００７５】
図１４のＡ／Ｄ変換回路１６３は、増幅回路１６２において生成される交流信号をデジタル信号（第１のデジタル信号）に変換する。図１４の加速度検出部１６６は、例えば３軸（Ｘ軸、Ｙ軸及びＺ軸）の重力加速度を検出して、加速度信号を生成する。体（腕）の動き、従って生体情報測定装置の動きは、加速度信号に反映される。図１４のＡ／Ｄ変換回路１６７は、加速度検出部１６６において生成される加速度信号をデジタル信号（第２のデジタル信号）に変換する。
【００７６】
図１４のデジタル信号処理回路１６８は、第２のデジタル信号を用いて、第１のデジタル信号の体動成分を除去し又は低減させる。デジタル信号処理回路１６８は、例えば、ＦＩＲフィルター等の適応フィルターで構成することができる。デジタル信号処理回路１６８は、第１のデジタル信号及び第２のデジタル信号を適応フィルターに入力し、ノイズが除去又は低減されたフィルター出力信号を生成する。
【００７７】
図１４の脈拍数算出回路１６４は、フィルター出力信号を例えば高速フーリエ変換（広義には、拡散フーリエ変換）によって周波数解析する。脈拍数算出回路１６４は、周波数解析の結果に基づき脈動成分を表す周波数を特定し、脈拍数を算出する。
【００７８】
なお、上記のように本実施形態について詳細に説明したが、本発明の新規事項及び効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義又は同義な異なる用語と共に記載された用語は、明細書又は図面のいかなる箇所においても、その異なる用語に置き換えることができる。
【符号の説明】
【００７９】
１１  基板、  １１Ａ  第１の面、  １１Ｂ  第２の面、  １１−１  光透過膜、
１４  発光部、  １６  受光部、
１８  反射部、  １８−１  境界、  １９  保護部、
６１，６２，６３，６４  配線、  ６１’，６３’，６４’  接続パッド、
６１Ａ’，６２Ａ’，６３Ａ’，６４Ａ’  露出部、
６２’  接続部、  ６１−１，６３−１，６４−１  ボンディングワイヤ、
６５  疑似配線、  ９２  反射部、    １５０  リストバンド、  １６１  制御回路、
１６２  増幅回路、  １６３，１６７  Ａ／Ｄ変換回路、  １６４  脈拍数算出回路、
１６５  表示部、  １６６  加速度検出部、１６８  デジタル信号処理回路、
Ｏ  被検出部位、  Ｒ１  第１の光、  Ｒ２  第２の光、  Ｒ１’  反射光、
ＳＡ  被検査体の表面、δ，δ１，δ２，δ３  開口部
【図１】
0005446915.tif 000002
【図２】
0005446915.tif 000003
【図３】
0005446915.tif 000004
【図４】
0005446915.tif 000005
【図５】
0005446915.tif 000006
【図６】
0005446915.tif 000007
【図７】
0005446915.tif 000008
【図８】
0005446915.tif 000009
【図９】
0005446915.tif 000010
【図１０】
0005446915.tif 000011
【図１１】
0005446915.tif 000012
【図１２】
0005446915.tif 000013
【図１３】
0005446915.tif 000014
【図１４】
0005446915.tif 000015